(57)【要約】　　　（修正有）【課題】受刑者の管理を省力化した収容施設を提供する。【解決手段】受刑者を収容するための収容施設は、この収容施設全体を監視する中央管理棟と、複数に分割され開口部を有する区画とからなり、この開口部毎にこの開口部を閉鎖若しくは解放する開閉機構を有し、この開閉機構は、この区画の開口部を閉鎖することにより各区画を独立区画とするための仕切体を備え、この中央管理棟は、各区画の開閉機構を作動あるいは解除するための作動・解除手段と、この収容施設内の各受刑者が携行する発信装置からの信号を受信して、受刑者の位置及びその異常を検出又は視認出来る位置監視装置とを備える。【選択図】　図１
2004068296.tif 000002
【特許請求の範囲】
【請求項１】
受刑者を収容するための収容施設は、この収容施設全体を監視する中央管理棟と、複数に分割され開口部を有する区画とからなり、
前記開口部毎にこの開口部を閉鎖若しくは解放する開閉機構を有し、
この開閉機構は、前記区画の開口部を閉鎖することにより各区画を独立区画とするための仕切体を備え、
前記中央管理棟は、前記各区画の前記開閉機構を作動あるいは解除するための作動・解除手段と、前記収容施設内の各受刑者が携行する発信装置からの信号を受信して、前記受刑者の位置及びその異常を検出又は視認出来る位置監視装置とを備えたこと
を特徴とする受刑者の収容施設。
【請求項２】
前記発信装置は、前記受刑者が携行するバッテリ内蔵型の発信装置であるとともに、前記受刑者自身が取り外し不能であること
を特徴とする請求項１に記載の受刑者の収容施設。
【請求項３】
前記発信装置からの信号は、前記区画内に、受信不能となる箇所が生じないように受信装置が設置されていること
を特徴とする請求項１〜請求項２にそれぞれ記載の受刑者の収容施設。
【請求項４】
前記発信装置からの信号は、少なくとも４箇所の前記受信装置で受信出来るようにこの受信装置を設置し、
前記位置監視装置は、４箇所の前記受信装置からの信号をそれぞれ検出するとともに、この信号から前記発信装置の３次元位置を双曲線航法で算出する手段を有すること
を特徴とする請求項１〜請求項３にそれぞれ記載の受刑者の収容施設。
【請求項５】
前記発信装置からの信号は、少なくとも３箇所の前記受信装置で受信出来るようにこの受信装置を設置し、
前記位置監視装置は、３箇所の前記受信装置からの信号をそれぞれ検出するとともに、この信号から前記発信装置の２次元位置を双曲線航法で算出する手段を有すること
を特徴とする請求項１〜請求項３にそれぞれ記載の受刑者の収容施設。
【請求項６】
前記発信装置と前記位置監視装置とに互いに同期した基準クロックを持たせ、
前記発信装置は、前記基準クロックに基づいた基準時刻に信号を送信し、
前記発信装置からの前記信号は、少なくとも３箇所の前記受信装置で受信出来るようにこの受信装置を設置し、
前記位置監視装置は、３箇所の前記受信装置からの信号と前記基準クロック信号とにより、前記発信装置の３次元位置を算出する手段を有すること
を特徴とする請求項１〜請求項３にそれぞれ記載の受刑者の収容施設。
【請求項７】
前記位置監視装置は、前記発信装置の位置及び移動を常時表示するモニタであること
を特徴とする請求項１〜請求項６にそれぞれ記載の受刑者の収容施設。
【請求項８】
前記発信装置からの信号には、それぞれ前記発信装置を携行する前記受刑者の識別情報を付加すること
を特徴とする請求項１〜請求項７にそれぞれ記載の受刑者の収容施設。
【請求項９】
前記開閉機構の作動・解除手段は、区画内の全開口部を同時に、あるいは開口部を選択的に閉鎖あるいは解除する手段を有すること
を特徴とする請求項１〜請求項８にそれぞれ記載の受刑者の収容施設。
【請求項１０】
前記開閉機構は、前記独立区画の外側から前記仕切体を閉鎖させ又は解除する手段を備えていること
を特徴とする請求項１〜請求項９にそれぞれ記載の受刑者の収容施設。
【請求項１１】
前記開閉機構は、この開閉機構の作動・解除手段と前記仕切体の閉鎖・解除手段とにより開錠可能な前記仕切体をロックする施錠装置を備えていること
を特徴とする請求項１〜請求項１０にそれぞれ記載の受刑者の収容施設。
【請求項１２】
前記開閉機構は、モータ駆動による仕切体開閉機構としたこと
を特徴とする請求項１〜請求項１１にそれぞれ記載の受刑者の収容施設。
【請求項１３】
前記開閉機構を、前記仕切体の移動を阻止している阻止部材の阻止を解除して、前記区画を閉鎖する阻止部材の解除機構としてなること
を特徴とする請求項１〜請求項１１にそれぞれ記載の受刑者の収容施設。
【請求項１４】
前記仕切体の閉鎖・解除手段は、前記独立区画の外側から区画内全ての前記仕切体を閉鎖させあるいは解除する手段を有すること
を特徴とする請求項１〜請求項１３にそれぞれ記載の受刑者の収容施設。
【請求項１５】
前記仕切体は、区画の開口部を閉鎖する上下方向、左右方向に直線動作し、又は、上下方向、前後方向に回動動作する仕切体であること
を特徴とする請求項１〜請求項１４にそれぞれ記載の受刑者の収容施設。
【請求項１６】
前記仕切体は、独立区画内を視認可能に一部又は全部を透明部材で形成したこと
を特徴とする請求項１〜請求項１５にそれぞれ記載の受刑者の収容施設。
【請求項１７】
複数の区画に分割された収容施設において、受刑者はそれぞれ発信装置を携行し、
この発信装置から定期的に送信された信号を受信し、
この受信信号は、中央管理棟に伝送されて前記発信装置を携行している受刑者の位置及びその異常を検出し、
この位置及び異常が検出された区画を閉鎖して独立区画にすること
を特徴とする受刑者の収容施設の管理方法。
【請求項１８】
前記発信装置からの信号は、この発信装置を携行する受刑者の識別情報を含み、
前記中央管理棟において、前記識別情報を識別して該当する受刑者を特定すること
を特徴とする請求項１７に記載の受刑者の収容施設の管理方法。
【請求項１９】
前記発信装置からの信号を、少なくとも４箇所で受信し、
各受信信号の遅延時間差をそれぞれ測定し、
各遅延時間差から前記受刑者の携行する前記発信装置の３次元位置を双曲線航法で算出すること
を特徴とする請求項１７〜請求項１８にそれぞれ記載の受刑者の収容施設の管理方法。
【請求項２０】
前記発信装置からの信号を、少なくとも３箇所で受信し、
各受信信号の遅延時間差をそれぞれ測定し、
各遅延時間差から前記受刑者の携行する前記発信装置の２次元位置を双曲線航法で算出すること
を特徴とする請求項１７〜請求項１８にそれぞれ記載の受刑者の収容施設の管理方法。
【請求項２１】
前記発信装置及び前記中央管理棟に設置されている位置監視装置は互いに同期した基準クロックを持ち、
この発信装置は、前記基準クロックに基づいた基準時刻に信号を送信し、
この発信装置からの信号を、少なくとも３箇所で受信し、
各受信信号の基準時刻からの遅延時間をそれぞれ測定し、
前記受刑者の携行する前記発信装置の３次元位置を算出すること
を特徴とする請求項１７〜請求項１８にそれぞれ記載の受刑者の収容施設の管理方法。
【請求項２２】
前記位置監視装置に、前記受刑者の行動予定を入力し、
この受刑者の行動予定と算出された受刑者の位置とを照合し、その異常・正常を検出すること
を特徴とする請求項１７〜請求項２１に記載の収容施設内管理方法。
【請求項２３】
前記受刑者の検出された位置と、他の受刑者の検出された位置とを比較し、
各受刑者の位置関係から、前記受刑者の異常・正常を判断すること
を特徴とする請求項１７〜請求項２２に記載の収容施設内管理方法。
【発明の詳細な説明】
【０００１】
【発明の属する技術分野】
この発明は、受刑者収容施設に関し、特にその管理を省力化した受刑者の収容施設に関する。
【０００２】
【従来の技術】
従来の受刑者の収容施設には、この収容施設内に舎房、独居房、食堂、浴室、作業所、病舎、管理棟や受刑者の収容、作業等のための部位、管理のための部位等が設置されている。そして、受刑者の管理は多数の刑務官が個別にあるいは集団で受刑者を監視する形態が採用されている。そして、日本の場合、このような受刑者の収容施設は、すべて国営事業として実行され、多くの税金が注入されている。
【０００３】
一方、一部の外国においては、例えば、米国のように一人一日当たり４３ドルといった定額の請負費用によって国（州）から民間への運営管理の委託がなされているが、この場合、同様に多数の刑務作業者による監視がなされる形態のようであり、国（州）の予算が増大する傾向にあるとともに運営受託企業側も他の産業に比して必ずしも魅力のある事業ではないのが現状である。
【０００４】
【発明が解決しようとする課題】
我が国の刑務行政は、目下国営維持であるが、節税のためにこの事業を一部民間に委託しようとの動きがある。しかしながら、仮に一部外国と同様に民間委託がなされるとすると、従来のような、刑務官乃至刑務作業者の監視を行う仕組みのままでは、コスト的に膨大となり、受託者は利益が得られず、ひいては受託者の不在といった状況も想定される。従って、民間委託する場合には、その運営の省力化によるコスト削減の必要性が生じるものと予想される。
【０００５】
この発明は、このような事情に鑑みてなされたもので、その解決課題とするところは、国営事業を含めて受刑者収容施設の運営の可及的な省力化を図り、低コストの運営を可能とする省力化された受刑者の収容施設を提供することにある。
【０００６】
【課題を解決するための手段】
請求項１に係わる発明は、受刑者を収容するための収容施設は、この収容施設全体を監視する中央管理棟と、複数に分割され開口部を有する区画とからなり、開口部毎にこの開口部を閉鎖若しくは解放する開閉機構を有し、この開閉機構は、区画の開口部を閉鎖することにより各区画を独立区画とするための仕切体を備え、中央管理棟は、各区画の開閉機構を作動あるいは解除するための作動・解除手段と、収容施設内の各受刑者が携行する発信装置からの信号を受信して、受刑者の位置及びその異常を検出又は視認出来る位置監視装置とを備えたことを特徴とする受刑者の収容施設としたものである。
【０００７】
請求項２に係わる発明は、請求項１の発明に加えて、発信装置を好ましい形態のものとするように、発信装置は、受刑者が携行するバッテリ内蔵型の発信装置であるとともに、受刑者自身が取り外し不能であることとしたものである。
【０００８】
請求項３に記載の発明は、請求項１〜請求項２の発明に加えて、発信装置からの信号は、区画内に、受信不能となる箇所が生じないように受信装置が設置されていることとしたものである。
【０００９】
請求項４〜請求項６に記載の発明は、請求項１〜請求項３の発明に加えて、受刑者の位置の検出方法を好ましい形態のものとするように、請求項４に記載の発明を、発信装置からの信号は、少なくとも４箇所の受信装置で受信出来るようにこの受信装置を設置し、位置監視装置は、４箇所の受信装置からの信号をそれぞれ検出するとともに、この信号から発信装置の３次元位置を双曲線航法で算出する手段を有することとし、請求項５に記載の発明を、発信装置からの信号は、少なくとも３箇所の受信装置で受信出来るようにこの受信装置を設置し、位置監視装置は、３箇所の受信装置からの信号をそれぞれ検出するとともに、この信号から発信装置の２次元位置を双曲線航法で算出する手段を有することとし、請求項６に記載の発明を、発信装置と位置監視装置とに互いに同期した基準クロックを持たせ、発信装置は、基準クロックに基づいた基準時刻に信号を送信し、発信装置からの信号は、少なくとも３箇所の受信装置で受信出来るようにこの受信装置を設置し、位置監視装置は、３箇所の受信装置からの信号と基準クロック信号とにより、発信装置の３次元位置を算出する手段を有することとしたものである。
【００１０】
請求項７に記載の発明は、請求項１〜請求項６の発明に加えて、位置監視装置を好ましい形態のものとするように、請求項７に記載の発明を、位置監視装置は、発信装置の位置及び移動を常時表示するモニタであることとしたものである。
【００１１】
請求項８に記載の発明は、請求項１〜請求項７の発明に加えて、発信装置からの信号を好ましい形態のものとするように、請求項８に記載の発明を、発信装置からの信号には、それぞれ発信装置を携行する受刑者の識別情報を付加することとしたものである。
【００１２】
請求項９に記載の発明は、請求項１〜請求項８の発明に加えて、開閉機構の作動・解除手段を好ましい形態のものとするように、請求項９に記載の発明を、開閉機構の作動・解除手段は、区画内の全開口部を同時に、あるいは開口部を選択的に閉鎖あるいは解除する手段を有することとしたものである。
【００１３】
請求項１０〜請求項１３に記載の発明は、請求項１〜請求項９の発明に加えて、開閉機構を好ましい形態のものとするように、請求項１０に記載の発明を、開閉機構は、独立区画の外側から仕切体を閉鎖させ又は解除する手段を備えていることとし、請求項１１に記載の発明を、開閉機構は、この開閉機構の作動・解除手段と仕切体の閉鎖・解除手段とにより開錠可能な仕切体をロックする施錠装置を備えていることとし、請求項１２に記載の発明を、開閉機構は、モータ駆動による仕切体開閉機構とし、請求項１３に記載の発明を、開閉機構は、仕切体の移動を阻止している阻止部材の阻止を解除して、区画を閉鎖する阻止部材の解除機構としてなることとしたものである。
【００１４】
請求項１４に記載の発明は、請求項１〜請求項１３の発明に加えて、仕切体の閉鎖・解除手段を好ましい形態のものとするように、請求項１４に記載の発明を、仕切体の閉鎖・解除手段は、独立区画の外部から区画内全ての仕切体を閉鎖させあるいは解除する手段を有することとしたものである。
【００１５】
請求項１５及び請求項１６に記載の発明は、請求項１〜請求項１４の発明に加えて、仕切体を好ましい形態のものとするように、請求項１５に記載の発明を、仕切体は、区画の開口部を閉鎖する上下方向、左右方向に直線動作し、又は、上下方向、前後方向に回動動作する仕切体であることとし、請求項１６に記載の発明を、仕切体は、独立区画内を視認可能に一部又は全部を透明部材で形成したこととしたものである。
【００１６】
請求項１７に記載の発明は、複数の区画に分割された収容施設において、受刑者はそれぞれ発信装置を携行し、この発信装置から定期的に送信された信号を受信し、この受信信号は、中央管理棟に伝送されて発信装置を携行している受刑者の位置及びその異常を検出し、この位置及び異常が検出された区画を閉鎖して独立区画にすることを特徴とする受刑者の収容施設の管理方法としたものである。
【００１７】
請求項１８に記載の発明は、請求項１７の発明に加えて、発信装置からの信号を好ましい形態のものとするように、請求項１８に記載の発明を、発信装置からの信号は、この発信装置を携行する受刑者の識別情報を含み、中央管理棟において、識別情報を識別して該当する受刑者を特定することとしたものである。
【００１８】
請求項１９〜請求項２１に記載の発明は、請求項１７〜請求項１８の発明に加えて、受刑者の携行する発信装置の位置の検出方法を好ましい形態のものとするように、請求項１９に記載の発明を、発信装置からの信号を、少なくとも４箇所で受信し、各受信信号の遅延時間差をそれぞれ測定し、各遅延時間差から受刑者の携行する発信装置の３次元位置を双曲線航法で算出することとし、請求項２０に記載の発明を、発信装置からの信号を、少なくとも３箇所で受信し、各受信信号の遅延時間差をそれぞれ測定し、各遅延時間差から受刑者の携行する発信装置の２次元位置を双曲線航法で算出することとし、請求項２１に記載の発明を、発信装置及び中央管理棟に設置されている位置監視装置は互いに同期した基準クロックを持ち、この発信装置は、基準クロックに基づいた基準時刻に信号を送信し、この発信装置からの信号を、少なくとも３箇所で受信し、各受信信号の基準時刻からの遅延時間をそれぞれ測定し、受刑者の携行する発信装置の３次元位置を算出することとしたものである。
【００１９】
請求項２２及び請求項２３に記載の発明は、請求項１７〜請求項２１の発明に加えて、受刑者の異常・正常の検出方法を好ましい形態のものとするように、請求項２２に記載の発明を、位置監視装置に、受刑者の行動予定を入力し、この受刑者の行動予定と算出された受刑者の位置とを照合し、その異常・正常を検出することとし、請求項２３に記載の発明を、受刑者の検出された位置と、他の受刑者の検出された位置とを比較し、各受刑者の位置関係から、受刑者の異常・正常を判断することとしたものである。
【００２０】
本発明はこれらをそれぞれ発明の要旨として、前記課題解決の手段としたものである。
【００２１】
【発明の実施の形態】
【実施例１】
この発明の実施例を、図１〜図２に基づいて詳細に説明する。
図１は、この発明の実施例を示す要部構成図で、１つの部位における複数の区画に細分化された受刑者の収容施設において、２つの開口部を持った１区画を例として示している。図２は収容施設を管理する処理フローである。なお、図面中に記載の一点鎖線は、信号の伝送経路を示している。
【００２２】
１は、省力化を目的とした受刑者の収容施設（以下、収容施設１と記す）であり、出入り口を特定の箇所に限定するように数メートルの高さの外壁（図示せず）によって周囲を囲繞した、例えば数万ｍ２の広さを有する広域のものである。この収容施設１の内部は、大きく分けて、受刑者の舎房、独居房、食堂、浴室、作業所、病舎等の受刑者の収容、作業等のための部位（図示せず）や、公園、娯楽施設等の受刑者用部位（図示せず）等があり、さらに、収容施設全体を監視する中央管理棟２を備えている。
【００２３】
そして、収容施設１内の各部位は、複数の区画３に細分化されており、例えば、各部位内は、その建物の構造に従って部屋毎にあるいは廊下等の部分毎に区画３が形成される構造であり、区画３の集合体である。又、この建物外の部位、例えば体操場、公園等も、必要に応じて区画３が形成される構造であり、区画３の集合体となっており、これらの区画３は単一又は複数の開口部４を備え、その開口部４を遮断・解放するための開閉機構５を備えている。
【００２４】
開閉機構５は、開口部４を開閉するための仕切体６と、この仕切体６が開口部４を閉鎖した時、仕切体６をロックするための施錠装置（図示せず）と、区画３の外側から仕切体６を閉鎖・解除する手段７（以下、仕切体閉鎖・解除手段７と記す）とを備えている。
【００２５】
なお、仕切体閉鎖・解除手段７は、区画３内にある全ての仕切体６を、閉鎖又は解除することが出来る手段も備えている。従って、区画３の全ての開口部４を閉鎖した場合には、この区画３は独立区画となる。
【００２６】
なお、開閉機構５は、モータ駆動の仕切体開閉機構としても良い。即ち、例えば仕切体巻き取り軸の回転、ラックピニオンにおける仕切体６側設置のピニオンの回転、開口部３端部間に設置し長手方向中間を仕切体に固定したループチェーン送り歯車の回転等の開閉機構とすることができる。
【００２７】
また、開閉機構５は、仕切体６の移動を阻止している阻止部材による阻止を解除して、区画３を閉鎖する阻止部材の解除機構としても良い。例えば、区画３を閉鎖する阻止部材の形式としては、落下防止用ロック部材のスライド又は回動動作により、仕切体６を自重的に落下作動させる形式、閉鎖方向に付勢されたロック解除機構、ロック部材に通電し、その抵抗熱によりロック部材を熔解して、阻止部材を解除させる形式等の開閉機構とすることができる。
【００２８】
施錠装置としては、仕切体６を閉鎖した際、この仕切体６の戸先側と建物の壁面との間で、又、建物外のときは、支柱等の戸当たり枠との間で、仕切体６先端の衝接による自動ロック、接触による電磁ロック等の形式の施錠装置が設置されている。
【００２９】
なお、開閉機構５が、例えばモータ駆動のものとするとき、このモータを一方向への正回転専用としたり、仕切体６の開閉機構５にその直進動作、回動動作等の作動が、閉鎖方向のみとするように、例えばラチェット機構等適宜の一方向作動用の機構を配置するようにすればよい。
【００３０】
仕切体６は、収容施設１に収容されている受刑者８に異常が認められた時、その受刑者８のいる区画３の開口部４を閉鎖するように上下方向、左右方向等に直線動作するように構成され、又は上下方向、前後方向等に回動動作するように構成されている。
【００３１】
なお、仕切体６は、例えば、重量シャッター、パイプシャッター、折り畳みシャッター、伸縮シャッター等のように上下方向にガイドレールの案内によって直線動作を行うもの、横引きシャッター、折り畳みシャッター、伸縮シャッター、片引き又は両引きの引き戸等のように左右方向にガイドレールの案内によって直線動作を行うもの、オーバーヘッドドア等のように前後方向に回動動作を行うもの、さらにこれらを複合して形成したものが使用可能である。
【００３２】
なお、仕切体６は、受刑者８に異常が認められた時、この受刑者８のいる区画３を遮断してこの区画３を独立区画として受刑者８を監禁状態に封じ込めるためのものであるから、この仕切体６は、その内側又は外側から、少なくとも複数の人力の負荷によって破壊したり破損したりすることなく、その閉鎖状態を維持可能のものとする必要があり、このため仕切体６は、一般に使用される軽量シャッター、細パイプ等のパイプシャッター、ガラス戸等を使用することなく、それ自体強度に優れた高強度のものとすることが好ましい。
【００３３】
又、閉鎖状態において、独立区画内部にいる受刑者８の状態を視認し得ないまま、この独立区画の解放を行うことは危険な場合もあるので、仕切体６は、透明部材で形成することが好ましいが、このとき例えばパイプシャッター、折り畳みシャッター、伸縮シャッター等はその全部を透明部材で形成することが好ましいし、その他のブランク状態のものを用いるときは、透明高強度樹脂等の透視窓を付したり、高所の貫通窓を付したりして一部を透明部材で形成することが同じく好ましい。
【００３４】
受刑者８は、受刑者８の位置を算出するための信号を定期的に送信する発信装置９を腕輪や足輪等の形態で携行しているとともに、この発信装置９は受刑者８自身では取り外し不能である。そして、発信装置９としては、例えば、バッテリ内蔵型の発信装置が用いられている。発信装置９は、受刑者８毎に設定され、発信装置９から定期的に送信している信号には、各受刑者８を識別するための識別情報が付与されている。この識別情報としては、送信周波数を受刑者８毎に変えるように設定しても良い。また、発信装置９は、基本的に受刑者８が収容施設１を出所するまで取り外されることはないので、受刑者８の入浴等を考慮すると、防水構造（生活防水）であることが好ましい。
【００３５】
また、各区画３内には、受信装置１０が複数箇所に設置されており、区画３内において、発信装置９からの信号が受信不能となる箇所が生じないようにされている。又、これら複数の受信装置１０は、発信装置９からの信号を常に複数の受信装置１０で受信出来るように設置されている。さらに、その区画３の内部状況を監視出来るように１個以上の監視カメラ１１が設置されている。
【００３６】
中央管理棟２は、開閉機構作動・解除手段１２と位置監視装置１３とを備えている。開閉機構作動・解除手段１２は、開閉機構５を作動あるいは解除する手段を備えている。位置監視装置１３は、受信装置１０の設置した位置情報が設定されており、監視カメラ１１からの映像を表示するモニタ（図示せず）を備え、更に、発信装置７から定期的に送信される信号を、受信装置１０を介して受信し、受刑者８の位置を算出する機能と、受刑者８の位置、状態を表示する表示装置（図示せず）をも備えている。
【００３７】
なお、開閉機構作動・解除手段１２を用いて、開閉機構５の作動あるいは解除を行う際、区画３の開口部４全てを一括開閉か、あるいは部分開閉するかを選択できる。更に、部分開閉の場合には、どの開口部４を開閉するかを任意に選択できる。
【００３８】
次に、図２に基づいて実施例の作用動作について説明する。
まず、受刑者８が携行している発信装置９には、各受刑者８を識別するために、各受刑者８固有の識別情報が設定されている。
また、各受刑者８は、収容施設１内において、法令によって定めた規則によって、その日常の生活、例えば起床、体操、食事、職業訓練、入浴等といった各種行動があるため、各受刑者８は収容施設１内を移動し、所定の日課を消化する様に行動する。位置監視装置１３には、予め各受刑者８のこのようなスケジュール（何時に何処にいるか）が入力されている。
【００３９】
受刑者８の携行する発信装置９は、定期的に各受刑者８の識別情報を付した信号を送信する（ステップ１）。この信号は、収容施設１の各区画３に設置した複数の受信装置１０で受信され、位置監視装置１３にて受刑者８の携行する発信装置９の位置を算出するために、位置監視装置１３に伝送される（ステップ２）。
【００４０】
受信装置１０で受信された各受刑者８の携行する発信装置９からの信号は、各受刑者８の信号に分別される。この分別された受刑者８の発信装置９からの複数の信号の信号強度や、それらの受信信号の遅延時間差から、双曲線航法等の手法を用いることにより、位置監視装置１３で、受刑者８の位置が算出される（ステップ３）。
【００４１】
なお、このとき、双曲線航法の手法を用いて受刑者８の位置を算出する場合、受刑者８の３次元位置を算出したい時には少なくとも４箇所、２次元位置を算出したい時には少なくとも３箇所の受信装置１０で、発信装置９からの信号を受信する必要がある。
【００４２】
またこのとき、発信装置９及び位置監視装置１３に互いに同期した基準クロックを持たせ、この基準クロックに基づいた基準時刻に発信装置９から信号を送信するようにし、少なくとも３箇所の受信装置１０でこの信号を受信すれば、双曲線航法の手法を用いることなく簡単に、受刑者８の３次元位置を算出することが出来る。
【００４３】
このようにして算出された受刑者８の位置情報を元に、前述の予め入力された受刑者８の行動予定と照らし合わせて、同一若しくは許容範囲内の差異であれば、正常と判断し、許容範囲外の差異が有る場合、異常と判断される。（ステップ４）
【００４４】
ここで、受刑者８の位置情報からは正常と判断されても、他の受刑者の位置情報から、他の受刑者との距離が著しく近い場合も、例えば、特定人へのいじめ行為、喧嘩行為、何らかの相談、物品の受け渡し、暴動の発生等が予想されるため、異常と判断される（ステップ４）。
【００４５】
また、受刑者８の発信装置９からの信号が受信出来ない場合、例えば、発信装置９のバッテリの取り外しや、通常収容施設１としては設定されていない場所（例えば、脱走用地下道）への出入りが予想されるため、取得出来た最後の受刑者８の位置情報を受刑者８の位置とし、受刑者８の状態を異常と判断する（ステップ４）。
【００４６】
受刑者８の状態が正常と判断された場合、位置監視装置１３は、検出された受刑者８の位置と、検出された受刑者８の位置が正常状態であることを、位置監視装置１３の表示装置（図示せず）に表示する（ステップ５）。
【００４７】
このときの表示は、位置監視装置１３の表示装置上の該当する位置を、単純ドットの形式で表示しても良いし、例えば青や緑等の色彩を付与して表示しても良いし、複数のドットを使用して、例えば○や、△等といった状態が視覚的に分かりやすい表示にしても良い。更に、受刑者８の収容施設１内での識別番号や、名前、顔写真といった受刑者８を刑務作業者が識別しやすい情報を付加して表示しても良い。
【００４８】
一方、受刑者８の状態が異常と判断された場合、位置監視装置１３は、検出された受刑者８の位置と、検出された受刑者８の位置が異常状態であることを、位置監視装置１３の表示装置に表示する（ステップ６）。
【００４９】
このときの表示は、刑務作業者が異常であることを判別しやすく且つ視認しやすい様に、位置監視装置１３の表示装置上の該当する位置を、単純ドットの形式で表示する場合には、正常時と区別できるようにドットの点滅表示としても良いし、色彩を付与して表示の場合には、赤等の色に色彩を変えて表示しても良いし、複数のドットを使用しての表示の場合、×等の表示にしても良い。
【００５０】
更に、刑務作業者が受刑者８の状態が異常であることを把握しやすいように、異常状態の表示への変更とともに又は変更することなく、警告音や、警告メッセージの表示若しくは音声を併せて出力するようにしても良い。
【００５１】
位置監視装置１３の表示装置上の受刑者８の異常状態の表示や、警告音等により、刑務作業者が異常を認識すると、刑務作業者は異常状態と表示された受刑者８のいる区画３の監視カメラ１１にて、その区画３の内部や受刑者８の状況を確認してから（ステップ７）、その区画３を閉鎖して独立区画とするかどうかの判断を行う（ステップ８）。
【００５２】
刑務作業者が、その区画３を閉鎖する必要有りと判断した場合、開閉機構作動・解除手段１２を用いて、その区画３の全ての開閉機構５を作動させ（ステップ９）、その区画３の全ての仕切体６を遮断作動させて、その区画３内の開口部４全てを閉鎖し（ステップ１０）、その区画３を独立区画とする。
【００５３】
このとき、受刑者８の脱走等の場合のように、一刻を争う事態も想定出来るため、ステップ７における区画３内及び受刑者８の監視カメラ１１による状況確認は後回しにして、まずその区画３を閉鎖するようにしても良い。また、刑務作業者が異常状態となった受刑者８のいる区画３及び受刑者８の状況を素早く且つ正確に認識出来るように、異常状態と判断された受刑者８のいる区画３を拡大表示出来るように位置監視装置１３の表示装置にモニタを設けても良いし、更に、自動的にそのモニタに拡大表示画面を表示するようにしても良いし、更に、監視カメラ１１に集音マイクを付ける又は集音マイク付きの監視カメラとすることで、その区画３からの情報量を増やし、刑務作業者への判断材料を増やすようにしても良い。
【００５４】
このようにして、受刑者８がいる区画３を独立区画とし、受刑者８を監禁状態とした後、次いで、位置監視装置１３の表示装置で監視している刑務作業者（以下、監視刑務作業者と記す）は、監視カメラ１１からの映像によって、独立区画内及び独立区画内の受刑者８の状況を確認する（ステップ１１）。
また、状況に応じて独立区画へ刑務作業者を派遣し、この刑務作業者（以下、派遣刑務作業者と記す）は、独立区画の外側から独立区画内を視認によって、
独立区画内及び独立区画内の受刑者８の状況を確認する（ステップ１１）。
【００５５】
このようにして状況確認をした後、刑務作業者は、この独立区画を解放するかどうかの判断を行う（ステップ１２）。
【００５６】
監視刑務作業者若しくは派遣刑務作業者が、その独立区画や受刑者８の状況から、その独立区画はまだ解放できないと判断した場合は、例えば受刑者８への説得行為や、受刑者８を無力化するために催涙ガスをその独立区画に流す等、その他その独立区画を解放出来るようにするために必要な措置を講じる（ステップ１３）。
【００５７】
一方、監視刑務作業者若しくは派遣刑務作業者が、その独立区画を解放してもよいと判断した場合、監視刑務作業者は、開閉機構作動・解除手段１２を用いて区画３内全ての開閉機構５を作動させ、区画３内の全ての仕切体６を遮断解除して（ステップ１４）、その区画の全ての開口部を解放する（ステップ１５）。
なお、派遣刑務作業者は、独立区画の外側から、仕切体閉鎖・解除手段７を用いて、区画３内の全ての仕切体６を遮断解除して（ステップ１４）、その区画３の全ての開口部４を解放することも出来る（ステップ１５）。
【００５８】
【発明の効果】
請求項１及び請求項１７に係わる発明は、受刑者を収容するための収容施設は、この収容施設全体を監視する中央管理棟と、複数に分割され開口部を有する区画とからなり、この開口部毎にこの開口部を閉鎖若しくは解放する開閉機構を有し、この開閉機構は、この区画の開口部を閉鎖することにより各区画を独立区画とするための仕切体を備え、この中央管理棟は、各区画の開閉機構を作動あるいは解除するための作動・解除手段と、この収容施設内の各受刑者が携行する発信装置からの信号を受信して、受刑者の位置及びその異常を検出又は視認出来る位置監視装置とを備えたことを特徴とする受刑者の収容施設において、受刑者はそれぞれ発信装置を携行し、この発信装置から定期的に送信された信号を受信し、この受信信号は、中央管理棟に伝送されて発信装置を携行している受刑者の位置及びその異常を検出し、この位置及び異常が検出された区画を閉鎖して独立区画にすることが出来るので、受刑者の収容施設において最も人手を必要とする受刑者管理について省力化を実現することが出来るとともに、収容施設の運営管理自体の省力化を実現することが出来、ひいては運営管理費を低コストに抑えることが出来る。
【００５９】
請求項２に係わる発明は、発信装置は、受刑者が携行するバッテリ内蔵型の発信装置であるとともに、受刑者自身が取り外し不能であることとしたので、請求項１に係わる発明の効果に加え、確実に受刑者の位置を検出出来るようにしたものである。
【００６０】
請求項３に係わる発明は、発信装置からの信号は、区画内に、受信不能となる箇所が生じないように受信装置が設置されていることとしたので、受刑者の位置の検出不能箇所を解消することが出来る。
【００６１】
請求項４及び請求項１９に係わる発明は、発信装置からの信号を、少なくとも４箇所で受信し、各受信信号の遅延時間差をそれぞれ測定し、各遅延時間差から受刑者の携行する発信装置の３次元位置を双曲線航法で算出することで、受刑者の正確な位置情報が得られる。
【００６２】
請求項５及び請求項２０に係わる発明は、発信装置からの信号を、少なくとも３箇所で受信し、各受信信号の遅延時間差をそれぞれ測定し、各遅延時間差から受刑者の携行する発信装置の２次元位置を双曲線航法で算出することで、受刑者の２次元位置を知れば十分である場合に、請求項４及び請求項２０に係わる発明に比べ、簡易且つ安価な設備とすることが出来る。
【００６３】
請求項６及び請求項２１に係わる発明は、発信装置と位置監視装置とに互いに同期した基準クロックを持たせ、基準クロックに基づいた基準時刻に送信した発信装置からの信号を、少なくとも３箇所で受信し、各受信信号の基準時刻からの遅延時間をそれぞれ測定し、各遅延時間から受刑者の携行する発信装置の３次元位置を算出するので、双曲線航法の手法を用いることなく算出出来、位置算出の処理を簡単化することが出来る。
【００６４】
請求項７に係わる発明は、位置監視装置を、発信装置の位置及び移動を常時表示するモニタとするので、受刑者の位置及び状態を常時監視することが出来る。
【００６５】
請求項８及び請求項１８に係わる発明は、発信装置からの信号に、この発信装置を携行する受刑者の識別情報を付加するので、中央管理棟において、識別情報を識別して該当する受刑者を特定することが出来、各受刑者の管理をより確実に実施することが出来る。
【００６６】
請求項９に係わる発明は、開閉機構の作動・解除手段を、区画内の全開口部を同時に、あるいは開口部を選択的に遮断あるいは解除する手段を有するものとするので、受刑者の異常に対して、中央管理棟にて受刑者の監視を行っている刑務作業者がより柔軟な対応を取ることが出来る。
【００６７】
請求項１０に係わる発明は、開閉機構を、独立区画の外側から仕切体を閉鎖させ又は解除する手段を備えていることとするので、受刑者の異常に対して、異常が起こった際に独立区画に派遣される刑務作業者がより柔軟な対応を取ることが出来る。
【００６８】
請求項１１に係わる発明は、開閉機構を、この開閉機構の作動・解除手段と仕切体の閉鎖・解除手段とにより開錠可能な仕切体をロックする施錠装置を備えていることとするので、受刑者が独立区画から脱出するのを妨害し、その脱出を防止することが出来る。
【００６９】
請求項１２に係わる発明は、開閉機構を、モータ駆動による仕切体開閉機構としたので、開閉機構の制御部分を簡単化することが出来る。
【００７０】
請求項１３に係わる発明は、開閉機構を、仕切体の移動を阻止している阻止部材の阻止解除によって区画を閉鎖する阻止部材の解除機構としたので、区画の閉鎖を速やかに行うことが出来る。
【００７１】
請求項１４に係わる発明は、仕切体の閉鎖・解除手段を、独立区画の外部から区画内全ての仕切体を閉鎖させあるいは解除する手段を有することとしたので、受刑者の異常に対して、異常が起こった際に独立区画に派遣される刑務作業者が、請求項１０に係わる発明より更に柔軟な対応を取ることが出来る。
【００７２】
請求項１５に係わる発明は、仕切体は、区画の開口部を閉鎖する上下方向、左右方向に直線動作し、又は、上下方向、前後方向に回動動作する仕切体であることとしたので、汎用性がある開閉機構を利用することが出来る。
【００７３】
請求項１６に係わる発明は、仕切体を、独立区画内を視認可能に一部又は全部を透明部材で形成したので、独立区画内の状況確認がしやすく、より安全に受刑者管理を行うことが出来る。
【図面の簡単な説明】
【図１】この発明の実施例を示す要部構成図である。
【図２】この発明の処理フローである。
【符号の説明】
１　　　　　受刑者の収容施設
２　　　　　中央管理棟
３　　　　　区画
４　　　　　開口部
５　　　　　開閉機構
６　　　　　仕切体
７　　　　　仕切体閉鎖・解除手段
８　　　　　受刑者
９　　　　　発信装置
１０　　　　受信装置
１１　　　　監視カメラ
１２　　　　開閉機構作動・解除手段
１３　　　　位置監視装置
【図１】
2004068296.tif 000003
【図２】
2004068296.tif 000004